【手続補正書】
【提出日】平成24年9月21日(2012.9.21)
【手続補正１】
【補正対象書類名】特許請求の範囲
【補正対象項目名】全文
【補正方法】変更
【補正の内容】
【特許請求の範囲】
【請求項１】
中空の筒本体と、筒本体の一端を閉じる底部と、を含んでなる有底の収納具であって、底部の外縁が、線分に沿った少なくとも２の線分縁を有し、筒本体が、２の線分縁のうちの第１線分縁の両端から筒本体の他端まで延びる一対の略直線に挟まれた筒本体の部分である第１本体部と、２の線分縁のうちの第２線分縁の両端から筒本体の他端まで延びる一対の略直線に挟まれた筒本体の部分である第２本体部と、を有してなり、第１本体部と底部とが第１線分縁の周りになす第１角度と、第２本体部と底部とが第２線分縁の周りになす第２角度と、が変化し得るよう両本体部と底部とが連結されており、
底部が略長方形であり、第１線分縁及び第２線分縁が該略長方形の対辺に形成されるものであり、
第１本体部と第２本体部との間を連結する一対のまち部であって、筒本体の他端側の縁に存する点である他縁点と、筒本体の一端側の縁に存する点である一縁点と他縁点とを結ぶ線分上に存する折り基準点と、を結ぶ線分であるまち部折り線に沿って筒本体内部から見て山折り又は谷折りが可能な一対のまち部を筒本体が備えるものであり、
第１線分縁と第２線分縁との間の底部上に存する線分である底部折り線に沿って底部を筒本体内部から見て山折りする底部折りが可能であり、
底部折り線又はその近傍の底部の部分である折り線近傍部分を引き上げることで折り線近傍部分の筒本体に対する筒本体の一端方向への変位を制限することで底部折り状態を保持し、
引き上げ手段が、底部折り線に跨るよう底部の内面の少なくとも一部に沿って配設され折り線近傍部分に取り付けられる底補強部材を含んでなり、線材又は帯材の両端が底補強部材の底部折り線から離れた位置に取り付けられることで該両端が底補強部材を介して折り線近傍部分に間接に取り付けられるものであり、
底補強部材の外縁が、第１線分縁に略沿った第１外縁部と、第２線分縁に略沿った第２外縁部と、を備えてなり、線材又は帯材の両端が第２外縁部に取り付けられ、及び／又は、線材又は帯材の両端が折り線近傍部分に直接又は間接に取り付けられ、
貫通穴が筒本体の内部と外部とを連通させるよう折り線近傍部分よりも筒本体の他端側に一対形成され、線材又は帯材が、筒本体の線材又は帯材の両端が存する一方とは反対の他方の側において一対の貫通穴の間に架け渡されることで、該一対の貫通穴が形成された筒本体が引き上げ材保持手段として機能し、
収納具を使用者が手で下げるための取っ手を有し、使用者の手で、一対の貫通穴の間に架け渡された線材又は帯材を引き上げて取っ手と一緒に握ると、折り線近傍部分が引き上げられた状態を保持できる、収納具。
【請求項２】
中空の筒本体と、筒本体の一端を閉じる底部と、を含んでなる有底の収納具であって、底部の外縁が、線分に沿った少なくとも２の線分縁を有し、筒本体が、２の線分縁のうちの第１線分縁の両端から筒本体の他端まで延びる一対の略直線に挟まれた筒本体の部分である第１本体部と、２の線分縁のうちの第２線分縁の両端から筒本体の他端まで延びる一対の略直線に挟まれた筒本体の部分である第２本体部と、を有してなり、第１本体部と底部とが第１線分縁の周りになす第１角度と、第２本体部と底部とが第２線分縁の周りになす第２角度と、が変化し得るよう両本体部と底部とが連結されており、
底部が略長方形であり、第１線分縁及び第２線分縁が該略長方形の対辺に形成されるものであり、
第１本体部と第２本体部との間を連結する一対のまち部であって、筒本体の他端側の縁に存する点である他縁点と、筒本体の一端側の縁に存する点である一縁点と他縁点とを結ぶ線分上に存する折り基準点と、を結ぶ線分であるまち部折り線に沿って筒本体内部から見て山折り又は谷折りが可能な一対のまち部を筒本体が備えるものであり、
第１線分縁と第２線分縁との間の底部上に存する線分である底部折り線に沿って底部を筒本体内部から見て山折りする底部折りが可能であり、
底部折り線又はその近傍の底部の部分である折り線近傍部分を引き上げることで折り線近傍部分の筒本体に対する筒本体の一端方向への変位を制限することで底部折り状態を保持し、
引き上げ手段が、底部折り線に跨るよう底部の内面の少なくとも一部に沿って配設され折り線近傍部分に取り付けられる底補強部材を含んでなり、線材又は帯材の両端が底補強部材の底部折り線から離れた位置に取り付けられることで該両端が底補強部材を介して折り線近傍部分に間接に取り付けられるものであり、
底補強部材の外縁が、第１線分縁に略沿った第１外縁部と、第２線分縁に略沿った第２外縁部と、を備えてなり、線材又は帯材の両端が第２外縁部に取り付けられ、及び／又は、線材又は帯材の両端が折り線近傍部分に直接又は間接に取り付けられ、
貫通穴が筒本体の内部と外部とを連通させるよう折り線近傍部分よりも筒本体の他端側に一対形成され、線材又は帯材が、筒本体の線材又は帯材の両端が存する一方とは反対の他方の側において一対の貫通穴の間に架け渡されることで、該一対の貫通穴が形成された筒本体が引き上げ材保持手段として機能し、
収納具を使用者が手で下げるための取っ手を有し、使用者の手で、一対の貫通穴の間に架け渡された線材又は帯材を引き上げて、
折り線近傍部分が引き上げられた状態を保持できる、線材又は帯材を係止する係止手段を有するものであり、
係止手段は、線材又は帯材を係止するフック部分が形成された筒本体とは別体の筒本体に取り付けられたフック部材を含んでなる、収納具。
【請求項３】
中空の筒本体と、筒本体の一端を閉じる底部と、を含んでなる有底の収納具であって、底部の外縁が、線分に沿った少なくとも２の線分縁を有し、筒本体が、２の線分縁のうちの第１線分縁の両端から筒本体の他端まで延びる一対の略直線に挟まれた筒本体の部分である第１本体部と、２の線分縁のうちの第２線分縁の両端から筒本体の他端まで延びる一対の略直線に挟まれた筒本体の部分である第２本体部と、を有してなり、第１本体部と底部とが第１線分縁の周りになす第１角度と、第２本体部と底部とが第２線分縁の周りになす第２角度と、が変化し得るよう両本体部と底部とが連結されており、
底部が略長方形であり、第１線分縁及び第２線分縁が該略長方形の対辺に形成されるものであり、
第１本体部と第２本体部との間を連結する一対のまち部であって、筒本体の他端側の縁に存する点である他縁点と、筒本体の一端側の縁に存する点である一縁点と他縁点とを結ぶ線分上に存する折り基準点と、を結ぶ線分であるまち部折り線に沿って筒本体内部から見て山折り又は谷折りが可能な一対のまち部を筒本体が備えるものであり、
第１線分縁と第２線分縁との間の底部上に存する線分である底部折り線に沿って底部を筒本体内部から見て山折りする底部折りが可能であり、
底部折り線又はその近傍の底部の部分である折り線近傍部分を引き上げることで折り線近傍部分の筒本体に対する筒本体の一端方向への変位を制限することで底部折り状態を保持し、
引き上げ手段が、底部折り線に跨るよう底部の内面の少なくとも一部に沿って配設され折り線近傍部分に取り付けられる底補強部材を含んでなり、線材又は帯材の両端が底補強部材の底部折り線から離れた位置に取り付けられることで該両端が底補強部材を介して折り線近傍部分に間接に取り付けられるものであり、
底補強部材の外縁が、第１線分縁に略沿った第１外縁部と、第２線分縁に略沿った第２外縁部と、を備えてなり、線材又は帯材の両端が第２外縁部に取り付けられ、及び／又は、線材又は帯材の両端が折り線近傍部分に直接又は間接に取り付けられ、
線材又は帯材の一部を、折り線近傍部分よりも筒本体の他端側に保持する引き上げ材保持手段が、
線材又は帯材を貫通させる貫通穴が形成された貫通穴形成部材を筒本体に取り付けられた、筒本体とは別体の貫通穴形成部材を引き上げ材保持手段が有するものであり、
収納具を使用者が手で下げるための取っ手を有し、使用者の手で、一対の貫通穴の間に架け渡された線材又は帯材を引き上げて取っ手と一緒に握ると、折り線近傍部分が引き上げられた状態を保持できる、収納具。
【請求項４】
中空の筒本体と、筒本体の一端を閉じる底部と、を含んでなる有底の収納具であって、底部の外縁が、線分に沿った少なくとも２の線分縁を有し、筒本体が、２の線分縁のうちの第１線分縁の両端から筒本体の他端まで延びる一対の略直線に挟まれた筒本体の部分である第１本体部と、２の線分縁のうちの第２線分縁の両端から筒本体の他端まで延びる一対の略直線に挟まれた筒本体の部分である第２本体部と、を有してなり、第１本体部と底部とが第１線分縁の周りになす第１角度と、第２本体部と底部とが第２線分縁の周りになす第２角度と、が変化し得るよう両本体部と底部とが連結されており、
底部が略長方形であり、第１線分縁及び第２線分縁が該略長方形の対辺に形成されるものであり、
第１本体部と第２本体部との間を連結する一対のまち部であって、筒本体の他端側の縁に存する点である他縁点と、筒本体の一端側の縁に存する点である一縁点と他縁点とを結ぶ線分上に存する折り基準点と、を結ぶ線分であるまち部折り線に沿って筒本体内部から見て山折り又は谷折りが可能な一対のまち部を筒本体が備えるものであり、
第１線分縁と第２線分縁との間の底部上に存する線分である底部折り線に沿って底部を筒本体内部から見て山折りする底部折りが可能であり、
底部折り線又はその近傍の底部の部分である折り線近傍部分を引き上げることで折り線近傍部分の筒本体に対する筒本体の一端方向への変位を制限することで底部折り状態を保持し、
引き上げ手段が、底部折り線に跨るよう底部の内面の少なくとも一部に沿って配設され折り線近傍部分に取り付けられる底補強部材を含んでなり、線材又は帯材の両端が底補強部材の底部折り線から離れた位置に取り付けられることで該両端が底補強部材を介して折り線近傍部分に間接に取り付けられるものであり、
底補強部材の外縁が、第１線分縁に略沿った第１外縁部と、第２線分縁に略沿った第２外縁部と、を備えてなり、線材又は帯材の両端が第２外縁部に取り付けられ、及び／又は、線材又は帯材の両端が折り線近傍部分に直接又は間接に取り付けられ、
線材又は帯材の一部を、折り線近傍部分よりも筒本体の他端側に保持する引き上げ材保持手段が、
線材又は帯材を貫通させる貫通穴が形成された貫通穴形成部材を筒本体に取り付けられた、筒本体とは別体の貫通穴形成部材を引き上げ材保持手段が有するものであり、
収納具を使用者が手で下げるための取っ手を有し、使用者の手で、一対の貫通穴の間に架け渡された線材又は帯材を引き上げて、
折り線近傍部分が引き上げられた状態を保持できる、線材又は帯材を係止する係止手段を有するものであり、
係止手段は、線材又は帯材を係止するフック部分が形成された筒本体とは別体の筒本体に取り付けられたフック部材を含んでなる、収納具を使用者が手で下げるための取っ手を有する、収納具。
【請求項５】
中空の筒本体と、筒本体の一端を閉じる底部と、を含んでなる有底の収納具であって、底部の外縁が、線分に沿った少なくとも２の線分縁を有し、筒本体が、２の線分縁のうちの第１線分縁の両端から筒本体の他端まで延びる一対の略直線に挟まれた筒本体の部分である第１本体部と、２の線分縁のうちの第２線分縁の両端から筒本体の他端まで延びる一対の略直線に挟まれた筒本体の部分である第２本体部と、を有してなり、第１本体部と底部とが第１線分縁の周りになす第１角度と、第２本体部と底部とが第２線分縁の周りになす第２角度と、が変化し得るよう両本体部と底部とが連結されており、
底部が略長方形であり、第１線分縁及び第２線分縁が該略長方形の対辺に形成されるものであり、
第１本体部と第２本体部との間を連結する一対のまち部であって、筒本体の他端側の縁に存する点である他縁点と、筒本体の一端側の縁に存する点である一縁点と他縁点とを結ぶ線分上に存する折り基準点と、を結ぶ線分であるまち部折り線に沿って筒本体内部から見て山折り又は谷折りが可能な一対のまち部を筒本体が備えるものであり、
第１線分縁と第２線分縁との間の底部上に存する線分である底部折り線に沿って底部を筒本体内部から見て山折りする底部折りが可能であり、
底部折り線又はその近傍の底部の部分である折り線近傍部分を引き上げることで折り線近傍部分の筒本体に対する筒本体の一端方向への変位を制限することで底部折り状態を保持し、
引き上げ手段が、底部折り線に跨るよう底部の内面の少なくとも一部に沿って配設され折り線近傍部分に取り付けられる底補強部材を含んでなり、線材又は帯材の両端が底補強部材の底部折り線から離れた位置に取り付けられることで該両端が底補強部材を介して折り線近傍部分に間接に取り付けられるものであり、
底補強部材の外縁が、第１線分縁に略沿った第１外縁部と、第２線分縁に略沿った第２外縁部と、を備えてなり、線材又は帯材の両端が第２外縁部に取り付けられ、及び／又は、線材又は帯材の両端が折り線近傍部分に直接又は間接に取り付けられ、
収納具を使用者が手で下げるための筒本体の他端から突出する取っ手を有し、筒本体の他端から突出する取っ手に線材又は帯材を引っかけることで、取っ手が引き上げ材保持手段として機能するものであり、
使用者の手で、一対の貫通穴の間に架け渡された線材又は帯材を引き上げて取っ手と一緒に握ると、折り線近傍部分が引き上げられた状態を保持できる、収納具。
【請求項６】
中空の筒本体と、筒本体の一端を閉じる底部と、を含んでなる有底の収納具であって、底部の外縁が、線分に沿った少なくとも２の線分縁を有し、筒本体が、２の線分縁のうちの第１線分縁の両端から筒本体の他端まで延びる一対の略直線に挟まれた筒本体の部分である第１本体部と、２の線分縁のうちの第２線分縁の両端から筒本体の他端まで延びる一対の略直線に挟まれた筒本体の部分である第２本体部と、を有してなり、第１本体部と底部とが第１線分縁の周りになす第１角度と、第２本体部と底部とが第２線分縁の周りになす第２角度と、が変化し得るよう両本体部と底部とが連結されており、
底部が略長方形であり、第１線分縁及び第２線分縁が該略長方形の対辺に形成されるものであり、
第１本体部と第２本体部との間を連結する一対のまち部であって、筒本体の他端側の縁に存する点である他縁点と、筒本体の一端側の縁に存する点である一縁点と他縁点とを結ぶ線分上に存する折り基準点と、を結ぶ線分であるまち部折り線に沿って筒本体内部から見て山折り又は谷折りが可能な一対のまち部を筒本体が備えるものであり、
第１線分縁に略平行な第１本体部上に存する第１折り線に沿って第１本体部を筒本体内部から見て山折り又は第２線分縁に略平行な第２本体部上に存する第２折り線に沿って第２本体部を筒本体内部から見て山折りする本体折りが可能であり、
第１線分縁又はその近傍の底部の部分である線分縁近傍部分を引き上げることで線分縁近傍部分の筒本体に対する筒本体の一端方向への変位を制限することで第１折り線に沿った第１本体部の該山折り状態を保持する引き上げ手段を有するものであり、
線材又は帯材の両端が線分縁近傍部分に直接又は間接に取り付けられ、線材又は帯材の一部を、線分縁近傍部分よりも筒本体の他端側に保持する引き上げ材保持手段が、
線材又は帯材を貫通させる貫通穴が形成された貫通穴形成部材を筒本体に取り付けられた、筒本体とは別体の貫通穴形成部材を引き上げ材保持手段が有するものであり、
収納具を使用者が手で下げるための取っ手を有し、使用者の手で、一対の貫通穴の間に架け渡された線材又は帯材を引き上げて取っ手と一緒に握ると、線分縁近傍部分が引き上げられた状態を保持できる、収納具。
【請求項７】
中空の筒本体と、筒本体の一端を閉じる底部と、を含んでなる有底の収納具であって、底部の外縁が、線分に沿った少なくとも２の線分縁を有し、筒本体が、２の線分縁のうちの第１線分縁の両端から筒本体の他端まで延びる一対の略直線に挟まれた筒本体の部分である第１本体部と、２の線分縁のうちの第２線分縁の両端から筒本体の他端まで延びる一対の略直線に挟まれた筒本体の部分である第２本体部と、を有してなり、第１本体部と底部とが第１線分縁の周りになす第１角度と、第２本体部と底部とが第２線分縁の周りになす第２角度と、が変化し得るよう両本体部と底部とが連結されており、
底部が略長方形であり、第１線分縁及び第２線分縁が該略長方形の対辺に形成されるものであり、
第１本体部と第２本体部との間を連結する一対のまち部であって、筒本体の他端側の縁に存する点である他縁点と、筒本体の一端側の縁に存する点である一縁点と他縁点とを結ぶ線分上に存する折り基準点と、を結ぶ線分であるまち部折り線に沿って筒本体内部から見て山折り又は谷折りが可能な一対のまち部を筒本体が備えるものであり、
第１線分縁に略平行な第１本体部上に存する第１折り線に沿って第１本体部を筒本体内部から見て山折り又は第２線分縁に略平行な第２本体部上に存する第２折り線に沿って第２本体部を筒本体内部から見て山折りする本体折りが可能であり、
第１線分縁又はその近傍の底部の部分である線分縁近傍部分を引き上げることで線分縁近傍部分の筒本体に対する筒本体の一端方向への変位を制限することで第１折り線に沿った第１本体部の該山折り状態を保持する引き上げ手段を有するものであり、
線材又は帯材の両端が線分縁近傍部分に直接又は間接に取り付けられ、線材又は帯材の一部を、線分縁近傍部分よりも筒本体の他端側に保持する引き上げ材保持手段が、
線材又は帯材を貫通させる貫通穴が形成された貫通穴形成部材を筒本体に取り付けられた、筒本体とは別体の貫通穴形成部材を引き上げ材保持手段が有するものであり、
収納具を使用者が手で下げるための取っ手を有し、使用者の手で、一対の貫通穴の間に架け渡された線材又は帯材を引き上げて、
線分縁近傍部分が引き上げられた状態を保持できる、線材又は帯材を係止する係止手段を有するものであり、
係止手段は、線材又は帯材を係止するフック部分が形成された筒本体とは別体の筒本体に取り付けられたフック部材を含んでなる、収納具を使用者が手で下げるための取っ手を有する、収納具。
【請求項８】
中空の筒本体と、筒本体の一端を閉じる底部と、を含んでなる有底の収納具であって、底部の外縁が、線分に沿った少なくとも２の線分縁を有し、筒本体が、２の線分縁のうちの第１線分縁の両端から筒本体の他端まで延びる一対の略直線に挟まれた筒本体の部分である第１本体部と、２の線分縁のうちの第２線分縁の両端から筒本体の他端まで延びる一対の略直線に挟まれた筒本体の部分である第２本体部と、を有してなり、第１本体部と底部とが第１線分縁の周りになす第１角度と、第２本体部と底部とが第２線分縁の周りになす第２角度と、が変化し得るよう両本体部と底部とが連結されており、
底部が略長方形であり、第１線分縁及び第２線分縁が該略長方形の対辺に形成されるものであり、
第１本体部と第２本体部との間を連結する一対のまち部であって、筒本体の他端側の縁に存する点である他縁点と、筒本体の一端側の縁に存する点である一縁点と他縁点とを結ぶ線分上に存する折り基準点と、を結ぶ線分であるまち部折り線に沿って筒本体内部から見て山折り又は谷折りが可能な一対のまち部を筒本体が備えるものであり、
第１線分縁に略平行な第１本体部上に存する第１折り線に沿って第１本体部を筒本体内部から見て山折り又は第２線分縁に略平行な第２本体部上に存する第２折り線に沿って第２本体部を筒本体内部から見て山折りする本体折りが可能であり、
第１線分縁又はその近傍の底部の部分である線分縁近傍部分を引き上げることで線分縁近傍部分の筒本体に対する筒本体の一端方向への変位を制限することで第１折り線に沿った第１本体部の該山折り状態を保持する引き上げ手段を有するものであり、
線材又は帯材の両端が線分縁近傍部分に直接又は間接に取り付けられ、線材又は帯材の一部を、線分縁近傍部分よりも筒本体の他端側に保持する引き上げ材保持手段が、
貫通穴が筒本体の内部と外部とを連通させるよう線分縁近傍部分よりも筒本体の他端側に一対形成され、線材又は帯材が、筒本体の線材又は帯材の両端が存する一方とは反対の他方の側において一対の貫通穴の間に架け渡されることで、該一対の貫通穴が形成された筒本体が引き上げ材保持手段として機能し、
収納具を使用者が手で下げるための取っ手を有し、使用者の手で、一対の貫通穴の間に架け渡された線材又は帯材を引き上げて取っ手と一緒に握ると、線分縁近傍部分が引き上げられた状態を保持できる、収納具。
【請求項９】
中空の筒本体と、筒本体の一端を閉じる底部と、を含んでなる有底の収納具であって、底部の外縁が、線分に沿った少なくとも２の線分縁を有し、筒本体が、２の線分縁のうちの第１線分縁の両端から筒本体の他端まで延びる一対の略直線に挟まれた筒本体の部分である第１本体部と、２の線分縁のうちの第２線分縁の両端から筒本体の他端まで延びる一対の略直線に挟まれた筒本体の部分である第２本体部と、を有してなり、第１本体部と底部とが第１線分縁の周りになす第１角度と、第２本体部と底部とが第２線分縁の周りになす第２角度と、が変化し得るよう両本体部と底部とが連結されており、
底部が略長方形であり、第１線分縁及び第２線分縁が該略長方形の対辺に形成されるものであり、
第１本体部と第２本体部との間を連結する一対のまち部であって、筒本体の他端側の縁に存する点である他縁点と、筒本体の一端側の縁に存する点である一縁点と他縁点とを結ぶ線分上に存する折り基準点と、を結ぶ線分であるまち部折り線に沿って筒本体内部から見て山折り又は谷折りが可能な一対のまち部を筒本体が備えるものであり、
第１線分縁に略平行な第１本体部上に存する第１折り線に沿って第１本体部を筒本体内部から見て山折り又は第２線分縁に略平行な第２本体部上に存する第２折り線に沿って第２本体部を筒本体内部から見て山折りする本体折りが可能であり、
第１線分縁又はその近傍の底部の部分である線分縁近傍部分を引き上げることで線分縁近傍部分の筒本体に対する筒本体の一端方向への変位を制限することで第１折り線に沿った第１本体部の該山折り状態を保持する引き上げ手段を有するものであり、
線材又は帯材の両端が線分縁近傍部分に直接又は間接に取り付けられ、線材又は帯材の一部を、線分縁近傍部分よりも筒本体の他端側に保持する引き上げ材保持手段が、
貫通穴が筒本体の内部と外部とを連通させるよう線分縁近傍部分よりも筒本体の他端側に一対形成され、線材又は帯材が、筒本体の線材又は帯材の両端が存する一方とは反対の他方の側において一対の貫通穴の間に架け渡されることで、該一対の貫通穴が形成された筒本体が引き上げ材保持手段として機能し、
収納具を使用者が手で下げるための取っ手を有し、使用者の手で、一対の貫通穴の間に架け渡された線材又は帯材を引き上げて、
線分縁近傍部分が引き上げられた状態を保持できる、線材又は帯材を係止する係止手段を有するものであり、
係止手段は、線材又は帯材を係止するフック部分が形成された筒本体とは別体の筒本体に取り付けられたフック部材を含んでなる、収納具を使用者が手で下げるための取っ手を有する、収納具。